(57)【要約】  無線アクセス通信ネットワーク用の無線通信ネットワークコントローラＢＳＣ１であって、警告センタＣＡから、それによって制御された選択したセル内に配置された移動端末Ｔにアドレス指定された警告テキストメッセージを含んだ、選択したレベルの警告の選択した分類に関連する第１のＳＭＳ−ＣＢタイプのメッセージを受信する際に、選択した警告分類より低いレベルの分類に関連するＳＭＳ−ＣＢタイプのメッセージの、各選択したセル内に配置された移動端末への伝達、任意選択で前記端末の全ての他の通信（例えば、その通話）を遮断し、それによって第１のメッセージをそれによって制御された各選択したセル内に配置された移動端末に放送することができ、前記移動端末の一部が警告信号（例えば、音声）を伝達し、第１のメッセージ内に含まれた警告テキストメッセージを表示するべきである処理手段ＭＴを備えたコントローラに関する。
2009505465.tif 000002
【特許請求の範囲】
【請求項１】
無線通信セル（Ｃｊｋ）内に配置された移動端末通信（Ｔｎｉ）を制御する無線通信アクセスネットワーク（Ｒａｉ）を備えた、無線通信ネットワーク内で警告メッセージを伝達する方法であって、
ａ）警告テキストメッセージを含み、少なくとも１つの選択したセル（Ｃｊｋ）内に配置された移動端末（Ｔｎｉ）にアドレス指定された、選択したレベルの選択した警告分類に関連する、警告センタ（ＣＡ）内で第１のＳＭＳ−ＣＢタイプメッセージを生成するステップと、
ｂ）前記の第１のメッセージを前記無線通信アクセスネットワーク（ＲＡｉ）に伝達するステップと、
ｃ）各選択したセル（Ｃｊｋ）内に配置された移動端末（Ｔｎｉ）への、前記選択した警告分類より低いレベルの分類に関連するあらゆるＳＭＳ−ＣＢタイプメッセージの伝達を遮るように前記無線通信アクセスネットワーク（ＲＡｉ）を使用するステップと、
ｄ）無線通信アクセスネットワーク（ＲＡｉ）を使用して、各選択したセル（Ｃｊｋ）内に配置された移動端末（Ｔｎｉ）に前記第１のメッセージを放送するステップと、
ｅ）警告信号を送信し、前記第１のメッセージを受信した各移動端末（Ｔｎｉ）上に警告テキストメッセージを表示するステップとを実行することを含むことを特徴とする、方法。
【請求項２】
特定のコマンドにより制御を行うように設計されたＳＩＭタイプ識別カード（ＣＳ）を備えた移動端末（Ｔｎｉ）の存在により、前記移動端末（Ｔｎｉ）は前記識別カード（ＣＳ）にあらゆる受信した第１のメッセージを伝達し、それによってこのカード（ＣＳ）が、前記警告信号を送信し、前記警告テキスト信号を表示するようにその移動端末（Ｔｎｉ）に命令する特定のコマンドを生成することを特徴とする、請求項１に記載の方法。
【請求項３】
第１のメッセージが音声通信をセットアップしながら移動端末（Ｔｎｉ）に受信された場合、ステップｅ）において、前記音声警告信号が、ダウン音声リンクがあればその上に重畳されることを特徴とする、請求項１および２のいずれか一項に記載の方法。
【請求項４】
第１のメッセージが音声通信のセットアップを開始していない移動端末（Ｔｎｉ）に受信された場合、前記音声アラーム信号はステップｅ）で移動端末（Ｔｎｉ）の音声放送手段を使用して発せられることを特徴とする、請求項１および２のいずれか一項に記載の方法。
【請求項５】
ステップａ）からｅ）は、選択した回数だけ繰り返すことができることを特徴とする、請求項１から４のいずれか一項に記載の方法。
【請求項６】
第１のＳＭＳ−ＣＢタイプメッセージを伝達する第１の試みでは、通信に関連する移動端末（Ｔｎｉ）によって使用され、各選択したセル（Ｃｊｋ）内に配置された全ての無線通信リソースを解放するために、前記無線通信アクセスネットワーク（ＲＡｉ）をステップｃ）で使用することができ、それによってこれらの移動端末（Ｔｎｉ）をアイドルモードに変更させることができることを特徴とする、請求項１から５のいずれか一項に記載の方法。
【請求項７】
第１のＳＭＳ−ＣＢタイプメッセージを伝達する試みが、前記ネットワークとの通信を既にセットアップし、選択したセル（Ｃｊｋ）内に配置された移動端末（Ｔｎｉ）に対して失敗した場合では、これらの移動端末（Ｔｎｉ）それぞれに対する第１の識別子を判断するのに前記無線通信アクセスネットワーク（ＲＡｉ）をステップｆ）で使用することができ、その後、ステップｇ）では、前記第１のメッセージから始まる警告テキストメッセージを含む第２の２点間ＳＭＳタイプメッセージが生成され、ステップｈ）では、前記第２のメッセージは検出した各移動端末（Ｔｎｉ）に伝達され、それによってこれに含まれる警告テキストメッセージを前記移動端末（Ｔｎｉ）の画面上に表示することができることを特徴とする、請求項１から６のいずれか一項に記載の方法。
【請求項８】
ステップｇ）では、前記無線通信アクセスネットワーク（ＲＡｉ）は、前記警告センタ（ＣＡ）に通信をセットアップしたサブスクライバ端末の前記第１の識別子を伝達することができ、それによって前記警告センタ（ＣＡ）は２点間ＳＭＳタイプの第２のメッセージを生成することができ、その後ステップｈ）において、第１の識別子によって指定された各移動端末（Ｔｎｉ）の取付ネットワークに対する各クライアント情報データベース（ＨＳｉ）で第２の識別子を判断し、前記第２のメッセージを第２の識別子によって指定された各移動端末（Ｔｎｉ）に伝達することを特徴とする、請求項７に記載の方法。
【請求項９】
前記無線通信アクセスネットワーク（ＲＡｉ）は、ステップｈ）において第１の識別子によって指定された、各移動端末（Ｔｎｉ）の取付ネットワークに対する各クライアント情報データベース（Ｈｉｓ）で第２の識別子を判断し、その後、第２の識別子によって指定された各移動端末（Ｔｎｉ）に前記第２のメッセージを伝達することを特徴とする、請求項７に記載の方法。
【請求項１０】
特定のコマンドによる制御を行うように設計されたＳＩＭタイプ識別カード（ＣＳ）を備えた移動端末（Ｔｎｉ）の存在により、前記移動端末（Ｔｎｉ）は前記識別カード（ＣＳ）にあらゆる受信した第２の２点間ＳＭＳタイプメッセージを伝達し、それによって前記カード（ＣＳ）は、前記警告信号を送信し、前記警告テキストメッセージを表示するようにその移動端末（Ｔｎｉ）に命令する特定のコマンドを生成することを特徴とする、請求項７から９のいずれか一項に記載の方法。
【請求項１１】
ステップｈ）では、前記移動端末（Ｔｎｉ）の前記第２の識別子、およびこれらの端末（Ｔｎｉ）に到達するのに必要なルーティング情報は、前記移動端末（Ｔｎｉ）の前記第１の識別子から始まる第２の２点間ＳＭＳタイプメッセージを使用して、単一の動作で前記クライアント情報データベース（ＨＳｉ）から判断されることを特徴とする、請求項７から１０のいずれか一項に記載の方法。
【請求項１２】
無線通信セル（Ｃｊｋ）内に配置された移動端末通信（Ｔｎｉ）を制御することが可能である、無線通信ネットワークの無線通信アクセスネットワーク（ＲＡｉ）用の無線通信ネットワークコントローラ（ＢＳＣｊ）であって、警告アラームテキストメッセージを含み、前記コントローラ（ＢＳＣｊ）が制御する少なくとも１つの選択したセル内に配置された移動端末（Ｔｎｉ）を意図した、選択したレベルの選択した警告分類に関連する第１のＳＭＳ−ＣＢタイプメッセージの警告センタ（ＣＡ）からの受信の後に、前記第１のメッセージを前記コントローラ（ＢＳＣｊ）が制御する各選択したセル内に配置された移動端末（Ｔｎｉ）に放送することができるように、各選択したセル（Ｃｊｋ）内に配置された移動端末（Ｔｎｉ）への選択した警告分類より低いレベルの分類に関連するあらゆるＳＭＳ−ＣＢタイプメッセージの伝達を遮る処理手段（ＭＴ）を備えたことを特徴とするコントローラであって、これらの移動端末（Ｔｎｉ）の少なくとも一部が、警告信号を発し、前記第１のメッセージに含まれた警告テキストメッセージを表示することを特徴とする、コントローラ。
【請求項１３】
前記処理手段（ＭＴ）は、第１のメッセージを選択した回数だけ再送信するように設計されていることを特徴とする、請求項１２に記載の無線通信ネットワークコントローラ。
【請求項１４】
ＳＭＳ−ＣＢタイプメッセージを送信する第１の試みでは、前記処理手段（ＭＴ）は、通信に関連し、前記コントローラが制御する各選択したセル内に配置された移動端末（Ｔｎｉ）によって使用される全ての無線通信リソースを解放して、これらの移動端末（Ｔｎｉ）をアイドルモードに変えるように設計されていることを特徴とする、請求項１２および１３のいずれか一項に記載の無線通信ネットワークコントローラ。
【請求項１５】
前記処理手段（ＭＴ）は、前記ネットワークとの通信をセットアップし、前記コントローラ（ＢＳＣｊ）が制御する選択したセル（Ｃｊｋ）内に配置された移動端末（Ｔｎｉ）に第１のＳＭＳ−ＣＢメッセージを伝達する試みが失敗した後に、これらの各移動端末（Ｔｎｉ）に対する第１の識別子を判断し、その後前記第１のメッセージから始まる警告テキストメッセージを含む第２の２点間ＳＭＳタイプメッセージを生成し、その後前記第１の識別子から始まる前記検出した移動端末（Ｔｎｉ）それぞれに対する第２の通信識別子を判断し、各検出した移動端末（Ｔｎｉ）に前記第２のメッセージを伝達し、それによって含んでいる警告テキストメッセージを前記検出した移動端末（Ｔｎｉ）の画面（ＳＣ）上に表示することができることを特徴とする、請求項１２から１４のいずれか一項に記載の無線通信ネットワークコントローラ。
【請求項１６】
前記処理手段（ＭＴ）は、前記ネットワークとの通信をセットアップし、前記コントローラ（ＢＳＣｊ）が制御する選択したセル（Ｃｊｋ）内に配置された移動端末（Ｔｎｉ）への第１のＳＭＳ−ＣＢタイプメッセージの伝達が失敗した後に、これらの各移動端末（Ｔｎｉ）に対する第１の識別子を判断し、その後前記警告センタ（ＣＡ）に前記第１の識別子を伝達し、それによって第２の２点間ＳＭＳタイプメッセージを生成し、その対応する第１の識別子から始まる前記検出した移動端末（Ｔｎｉ）に対する第２の通信識別子を判断した後に、前記検出した移動端末（Ｔｎｉ）それぞれにこの第２のメッセージを伝達することを特徴とする、請求項１２から１４のいずれか一項に記載の無線通信ネットワークコントローラ。
【請求項１７】
請求項１２から１６のいずれか一項に記載の、選択した無線通信ネットワークのコントローラ（ＢＳＣｊ）に第１のＳＭＳ−ＣＢタイプメッセージを伝達し、前記無線通信ネットワークコントローラの少なくとも１つから前記第１のＳＭＳ−ＣＢタイプメッセージによって到達することができなかった移動端末（Ｔｎｉ）から第１の識別子を受信した場合に、その第１の対応する無線識別子から始まるこれらの移動端末（Ｔｎｉ）に対して第２の２点間ＳＭＳ通信識別子を判断した後に、第２の２点間ＳＭＳタイプメッセージを生成し、その後到達することができなかった前記移動端末（Ｔｎｉ）それぞれにこのメッセージを送信するように設計された処理手段（ＭＴ’）を備えていることを特徴とする、警告センタ（ＣＡ）。
【発明の詳細な説明】
【技術分野】
【０００１】
本発明は、無線通信移動（または携帯電話）通信ネットワークに関し、より詳細には、このようなネットワークに取り付けられた移動通信端末への緊急警告メッセージの伝達に関する。
【背景技術】
【０００２】
この明細書の目的で、「移動通信端末」は、別の機器と信号の形でデータを交換するように、無線通信アクセスネットワークを通して移動無線通信ネットワークに接続することが可能なあらゆる移動（または携帯電話、または携帯用）無線通信機器のことを意味する。例えば、移動電話、または携帯用コンピュータ、または無線通信モジュールを備えた携帯情報端末（ＰＤＡ）に関する可能性がある。
【０００３】
例えば、所与の地理的区域内での切迫した自然または非自然災害の予測などのいくつかの緊急的な状況では、できるだけそこから離れた遠くに移動することを試みることができるように、この地理的区域に存在するできるだけ多くの人に警告することが非常に重要である。
【０００４】
これを達成するために、あまり多くのリソースを独占することなく、移動端末ユーザにＳＭＳ（ショートメッセージシステム）メッセージとして知られる短いテキストを伝達することが可能である。より詳細には、また当業者が十分分かっているように、３ＧＰＰの仕様２３．０４０で規定されるようなものなどの２点間タイプＳＭＳメッセージ（すなわち、特定および識別ユーザにアドレス指定した）、または３ＧＰＰ仕様２３．０４１で規定されるようなＣＢタイプＳＭＳメッセージ（ＳＭＳ−セル放送サービス用「ＳＭＳ−ＣＢ」）のいずれかを移動端末に送信することが可能である。
【０００５】
ＳＭＳ−ＣＢタイプショートメッセージは、テレビプログラムを伴なった「Ｔｅｌｅｔｅｘｔ」サービスによって提供されるサービスと同様のサービスを提供することに留意されたい。少なくとも１つの地理的領域（または、さらにはＰＬＭＮタイプネットワーク全体）内の選択した無線通信セル（放送セルと呼ばれる）内に配置された移動端末のセットの受信を認識することなく、短いＳＭＳ−ＣＢタイプメッセージを放送するのに使用することができる。この放送は、移動ネットワークの無線通信アクセスネットワークを通して、より正確には、放送無線通信セルの少なくとも１つ内で無線通信を制御する各無線通信ネットワークコントローラを使用して行われる。
【０００６】
短いＳＭＳタイプ２点間メッセージの場合、無線通信アクセスネットワークは最初に、前記ショートメッセージ（２点間ＳＭＳ）を移動端末に伝達することができるように、その移動端末が各放送無線通信セル内に配置されたサブスクライバの識別子を判断しなければならない。無線通信アクセスネットワークの無線通信ネットワークコントローラは、通信の際、したがって無線通信セル内に配置されたサブスクライバの判断の際、サブスクライバの形跡を保持するだけであり、この中で、警告メッセージ放送は：
ネットワークコア内（例えば、ＭＳＣ（移動サービス切換センタ）と呼ばれる機器、またはＳＧＳＮ（サービングＧＰＲＳサポートノード）と呼ばれる機器によって）、すなわち「位置領域」（セルのグループ）または「ルーティング領域」などの移動ネットワークの特定の必要性に対して規定され、したがってユーザが警告される緊急状態の必要性に対して規定されていない地理的区域で行われるので不正確であるか、
または緊急通知に関連する（１つまたは複数の）警告区域内のセル内に配置された移動端末を有するユーザの識別子を判断するために、緊急メッセージマネージャ、移動コアネットワーク（例えば、ＭＳＣまたはＳＧＳＮ）のノード、無線通信ネットワークコントローラ、または端末を含めて新しいインターフェイスを規定しなければならないので複雑であるかのいずれかである。
【０００７】
２点間ＳＭＳはその後、記憶して、伝達しなければならなく、それによってリアルタイムでの大量伝達に真には適当でない。さらに、端末が自分が属するネットワークではない訪問無線通信アクセスネットワークに一時的に取り付けられた（「ローミング」状況）ユーザに接触するのに比較的長い時間が必要となる可能性がある。警告メッセージを送信するネットワーク（すなわち、接触するサブスクライバが配置される「訪問した」ネットワーク）は、自分のホームノード（例えば、ＭＳＣまたはＳＧＳＮ）を判断し、その後訪問した無線通信アクセスネットワークを使用して自分に２点間ＳＭＳを送信するために戻るように、この端末のユーザ（サブスクライバ）が属するネットワークのＨＬＲ（ホーム位置レジスタ）機器に接触することが必要である。これには比較的長い時間がかかる可能性があり、したがって、特にこの過程を警告区域内に配置された全ての移動端末に対して実行しなければならない場合に、緊急警告メッセージの伝達と適合しない。
【０００８】
短いＳＭＳ−ＣＢタイプメッセージの伝達の場合、これらを受ける移動端末（既存）は、そのユーザに警告することができずに、その内容を表示することしかできない。したがって、ユーザの端末が待機状態（または、いわゆる「アイドル」モード）である場合、そのユーザは自分の移動端末の画面で偶然見る場合、または前記移動端末を使用することを決める場合に、メッセージが自分に伝達されたことを知ることしかできない。さらに、移動端末が音声通信（例えば、ＧＳＭタイプの）に使用される場合、通信に関連する移動端末が、この通信専用の無線通信チャンネル、およびＳＭＳ−ＣＢメッセージを運ぶ無線通信チャンネルを同時に聴くことができないことを考慮して、ＳＭＳ−ＣＢメッセージを受信する位置にいない。
【発明の開示】
【発明が解決しようとする課題】
【０００９】
完全に満足のいく知られている解決法はなく、したがって、本発明の目的はこの状況を改善し、特に緊急警告メッセージの伝達を、すなわち実用的にリアルタイムで可能にすることである。
【課題を解決するための手段】
【００１０】
このことを達成するためには、無線通信セル内に配置された移動端末の通信を制御する無線通信アクセスネットワークを含む、無線通信ネットワーク内での緊急警告メッセージの伝達専用の方法を提案する。
【００１１】
この方法は以下のステップを含む：
ａ）警告テキストメッセージを含み、少なくとも１つの選択したセル内（少なくとも１つの警告区域内）に配置された移動端末にアドレス指定された、選択したレベルの選択した警告分類に関連する、警告センタ内で第１のＳＭＳ−ＣＢタイプメッセージを生成するステップ、
ｂ）この第１のメッセージを無線通信アクセスネットワークに伝達するステップ、
ｃ）各選択したセル内に配置された移動端末への、選択した警告分類より低いレベルの分類に関連するあらゆるＳＭＳ−ＣＢタイプメッセージの伝達を遮断するように無線通信アクセスネットワークを使用するステップ、
ｄ）無線通信アクセスネットワークを使用して、各選択したセル内に配置された移動端末に（これらは基本的に、このタイプのＳＭＳ−ＣＢメッセージを受信することができるアイドルモードの端末である）第１のメッセージを放送するステップ、
ｅ）警告信号を送信し、第１のメッセージを受信した各移動端末上に警告テキストメッセージを表示するステップ。
【００１２】
本発明による方法は、別々にまたは組み合わせて解釈することができる他の特徴を含むことができ、特に、
特定のコマンドにより制御を行うように設計されたＳＩＭ（加入者識別モジュール）タイプの識別カードを備えた移動端末がある状態で、ステップｅ）では、端末はその識別カードに（ＳＭＳ−ＣＢタイプの）あらゆる第１の受信メッセージを伝達することができ、それによってカードは、その端末に警告信号を送信し、警告テキストメッセージを表示するように命令する特定のコマンドを生成する。この選択肢により、ＳＭＳ−ＣＢを通した（第１の）緊急警告メッセージの受信をサポートするように端末を変更することが必要なくなる。
【００１３】
（ＳＭＳ−ＣＢタイプの）第１のメッセージが、音声通信をセットアップしながら移動端末によって受信された場合、ステップｅ）において警告音声信号はダウン音声リンクが存在する場合にダウン音声リンクに重畳される。
【００１４】
（ＳＭＳ−ＣＢタイプの）第１のメッセージが、音声通信のセットアップを開始しなかった移動端末によって受信された場合、ステップｅ）において警告音声信号は、端末音声放送手段を使用して（例えば、そのスピーカを使用して）発せられる。
【００１５】
ステップａ）からｅ）までは、選択した回数（好ましくは、警告センタの制御において、警告センタと無線通信アクセスネットワークの間の従来のＳＭＳ−ＣＢ処理を使用して）繰り返すことができる。
【００１６】
第１のＳＭＳ−ＣＢメッセージを伝達する第１の試みでは、通信に関連する移動端末によって使用され、各選択したセル内に配置された全ての無線通信リソースを解放するために、無線通信アクセスネットワークをステップｃ）で使用することができ、それによってこれらの移動端末をアイドルモードに変更させることができる。このような無線通信リソースの強制解放は、第１のＳＭＳ−ＣＢタイプメッセージを伝達する第１の試みの間のみに行われることが好ましい。というのは、それによって（１つまたは複数の）警告区域内に配置された救助および／または緊急チームのメンバの間の通信を妨げる可能性があるからである。
【００１７】
第１のＳＭＳ−ＣＢメッセージを伝達する試みが（アイドルモードになく（すなわち、ネットワークとの通信をセットアップし）、（１つまたは複数の）選択されたセル内に配置された移動端末に対して）失敗した場合では、これらの移動端末それぞれに対する第１の（無線通信）識別子を判断するのに無線通信アクセスネットワークをステップｆ）で使用することができ、その後、ステップｇ）では、第１のメッセージから始まる警告テキストメッセージを含む第２の２点間ＳＭＳタイプメッセージが生成され、ステップｈ）では、この第２のメッセージは検出した各移動端末に伝達され、それによってこれに含まれる警告テキストメッセージをその画面上に表示することができる。
【００１８】
ステップｇ）では、無線通信アクセスネットワークは、警告センタにＳＭＳ−ＣＢ処理（ステップａ）からｅ））によって到達することができないサブスクライバ端末の第１の識別子を伝達することができ、それによって警告センタは（２点間ＳＭＳタイプの）第２のメッセージを生成することができ、その後、この第２のメッセージをステップｈ）においてこれらの端末それぞれに伝達する。これは、２点間ＳＭＳネットワークによって使用される第２の（通信）識別子への無線通信アクセスネットワーク（例えば、ＩＭＳＩ）で知られているような第１の（サブスクライバ）識別子の変換、したがって、各端末が取り付けられたネットワークに対するクライアント情報データベース（例えば、「家庭用サブスクライバシステム」ＨＳＳの）タイプを見ることが必要である。
【００１９】
変更形態として、無線通信アクセスネットワークは、ステップｇ）において第１のメッセージから始まる第２のメッセージ（２点間ＳＭＳタイプ）を生成することができ、その後、その第２の（通信）識別子を判断した後に、ｈ）において検出した各移動端末にこのメッセージを伝達することができる。
【００２０】
ステップｈ）では、第２のメッセージ（２点間ＳＭＳタイプ）の受信は、音声信号をこの音声通信のダウン音声リンクの上に重畳することによって、音声通信をセットアップした移動端末によって信号伝達することができる。
【００２１】
ステップｈ）では、第２のメッセージ（２点間ＳＭＳタイプ）が、音声通信以外のタイプの通信をセットアップした移動端末によって受信された場合、この受信は端末の音声放送手段（例えば、そのスピーカ）で音声信号を送信することによって信号伝達することができる。
【００２２】
特定のコマンドを使用して制御することが可能なＳＩＭタイプ識別カードを含む移動端末の存在により、移動端末はあらゆる第２の受信した２点間ＳＭＳメッセージをその識別カードに伝達することができ、それによってこのカードは、その移動端末が警告信号を送信し、警告テキストメッセージを表示するように命令するように設計された特定のコマンドを生成する。
【００２３】
ステップｈ）では、移動端末の第２の（通信）識別子、およびこれらの移動端末に到達するのに必要なルーティング情報は、移動端末（例えば、そのＩＭＳＩ）の第１の（無線通信）識別子から始まる第２の２点間ＳＭＳタイプメッセージを使用して、単一の動作でクライアント情報データベースから判断することができる。
【００２４】
本発明はまた、警告アラームテキストメッセージを含み、制御する少なくとも１つの選択したセル内に配置された移動端末を意図した、選択したレベルの選択した警告分類に関連する第１のＳＭＳ−ＣＢタイプメッセージの（警告センタからの）受信の後に、第１のメッセージを選択したセル内に配置された移動端末に放送することができ、その少なくとも一部が、警告信号を発し、第１のメッセージに含まれる警告テキストメッセージを表示することができるように、各選択したセル内に配置された移動端末への選択した警告分類より低いレベルの分類に関連するあらゆるＳＭＳ−ＣＢタイプメッセージの伝達を遮るのに必要である、処理手段を備えた無線通信アクセスネットワーク用無線通信ネットワークコントローラを提案する。
【００２５】
無線通信ネットワークコントローラは、別々にまたは組み合わせて解釈することができる他の特徴を含むことができ、特に、
その処理手段は例えば、第１のメッセージを選択した回数だけ再送信する必要がある可能性がある。
【００２６】
第１のＳＭＳ−ＣＢメッセージを送信する第１の試みでは、その処理手段は例えば、通信に関連し、制御する各選択したセル内に配置された移動端末によって使用される全ての無線通信リソースを解放して、これらの移動端末をアイドルモードに変える必要がある可能性がある。
【００２７】
第１のＳＭＳ−ＣＢメッセージを伝達する試みが（アイドルモードにない移動端末、すなわち、ネットワークとの通信をセットアップし、制御する（１つまたは複数の）選択されたセル内に配置された移動端末に対して）失敗した場合では、その処理手段は例えば、ＳＭＳ−ＣＢ処理で到達することができないサブスクライバ端末の第１の識別子を判断し、その後、警告センタにこれらの第１の識別子を伝達し、それによって、その第１の識別子から始まる第２の通信識別子を判断した後に、（２点間ＳＭＳタイプの）第２のメッセージを生成し、これらの端末にそれぞれこの第２のメッセージを伝達する必要がある可能性がある。
【００２８】
変更形態として、その処理手段は例えば、これらの移動端末それぞれに対する第１の（無線通信）識別子を判断し、その後、第１のメッセージから始まる警告テキストメッセージを含む第２の２点間ＳＭＳタイプメッセージを生成し、その後、その第１の識別子から始まるこれらの移動端末それぞれの第２の通信識別子を判断し、これに含まれる警告テキストメッセージを画面上に表示することができるように検出した各移動端末に第２のメッセージを伝達する必要がある可能性がある。
【００２９】
本発明はまた、上記タイプの選択した無線通信ネットワークコントローラに第１のＳＭＳ−ＣＢタイプメッセージを伝達し、これらの無線通信ネットワークコントローラの少なくとも１つからの第１のＳＭＳ−ＣＢタイプメッセージによって到達することができない移動端末の第１の（無線通信）識別子の受信の際に、第２の２点間ＳＭＳタイプメッセージを生成し、その後、その対応する第１の無線通信識別子から始まるこれらの移動端末用の第２の２点間ＳＭＳ通信識別子を判断した後に、到達されなかった各移動端末にこのメッセージを伝達する処理手段を備えた警告センタを提案する。
【００３０】
本発明の他の特徴および利点は、以下に与える詳細な説明、および単一の図が互いに結合された２つの移動無線通信ネットワークを極めて略図的に示している添付の図面から明らかになるだろう。第１のネットワークは、本発明による無線通信ネットワークコントローラの例示的な実施形態を含む第２の移動無線通信ネットワークを含んでいる。添付の図面は、本発明を完成させるためだけでなく、必要に応じてその定義に貢献するように使用することができる。
【発明を実施するための最良の形態】
【００３１】
本発明の目的は、警告メッセージを緊急に、すなわち実用的にリアルタイムで、移動通信ネットワーク（またはセルネットワーク）に取り付けられた移動（または、携帯電話）通信端末に伝達することである。
【００３２】
以下では、移動通信端末は非限定的な例として、移動（または携帯）電話であると仮定する。しかし、本発明はこのタイプの移動端末に限るものではない。本発明は、信号の形で他の機器とデータを交換するように、無線通信アクセスネットワークを通して移動無線通信ネットワークへの接続が可能であるあらゆるタイプの移動無線通信（または、携帯電話または携帯用）通信機器に関する。より詳細には、無線通信モジュールを上に備える携帯用コンピュータ、または携帯情報端末（ＰＤＡ）であってもよい。
【００３３】
本発明は、ＧＰＲＳ／ＧＳＭネットワークなどの２Ｇタイプ、ＧＰＲＳ／ＥＤＧＥネットワークなどの２．５Ｇタイプ、またはＵＭＴＳネットワークなどの３Ｇタイプのいずれかの、またはその相当物の１つである場合に、ＰＬＭＮタイプのあらゆるタイプの移動（または携帯電話）通信ネットワークに関する。
【００３４】
単一の図に示した非限定的な例では、例は互いに結合された２つの移動（通信）ネットワークを示している。しかし、本発明はこの例に限るものではない。少なくとも１つの移動ネットワークを必要とする全ての状況に適用可能である。
【００３５】
以下では、例示的な例として、２つの移動ネットワークはＧＳＭタイプのネットワークであると考える。しかし、異なるタイプの移動ネットワークであってもよい。
【００３６】
単一の図に示すように、移動（または、携帯電話）ネットワークは、ＲＡｉ無線通信アクセスネットワーク（ＢＳＳと呼ぶ）に結合されたＧＰＲＳコアネットワークＲＣｉとして極めて略図的に要約することができるが、これは本発明を理解するのに完全に十分である。この場合、ネットワークインデックスｉは１または２である。
【００３７】
無線通信アクセスネットワークＲＡｉは、プライベート転送ネットワークを通して互いに接続される、基地局ＢＴＳｊｋおよび無線通信ネットワークコントローラＢＳＣｊを備えている。図示した非限定的な例では、第１の無線通信アクセスネットワークＲＡ１は、２つの基地局ＢＴＳ１１（ｊ＝１、ｋ＝１）およびＢＴＳ１２（ｊ＝１、ｋ＝２）に接続された第１の無線通信ネットワークコントローラＢＳＣ１（ｊ＝１）と、３つの基地局ＢＴＳ２１（ｊ＝２、ｋ＝１）、ＢＴＳ２２（ｊ＝２、ｋ＝２）、およびＢＴＳ２３（ｊ＝２、ｋ＝３）に接続された第２の無線通信ネットワークコントローラＢＳＣ２（ｊ＝２）とを備えている。
【００３８】
各基地局ＢＴＳｊｋは、移動端末Ｔｎｉが無線通信リンクをセットアップする（または、継続する）ことができる無線通信区域を担当する少なくとも１つの論理セルＣｊｋに関連している。図示した非限定的な例では、２つの移動端末Ｔ１１（ｎ＝１、ｉ＝１）およびＴ１２（ｎ＝１およびｉ＝２）が基地局ＢＴＳ１１に取り付けられた第１のセルＣ１１内に配置され、移動端末Ｔ２１（ｎ＝２、ｉ＝１）が基地局ＢＴＳ１２に取り付けられた第２のセルＣ１２内に配置され、２つの移動端末Ｔ３１（ｎ＝３、ｉ＝１）およびＴ２２（ｎ＝２およびｉ＝２）が基地局ＢＴＳ２１に取り付けられた第３のセルＣ２１内に配置され、移動端末Ｔ４１（ｎ＝４、ｉ＝１）が基地局ＢＴＳ２２に取り付けられた第４のセルＣ２２内に配置され、移動端末Ｔ５１（ｎ＝５、ｉ＝１）が基地局ＢＴＳ２３に取り付けられた第５のセルＣ２３内に配置されている。この場合、移動端末Ｔｎ１は、第１のネットワーク（ＲＣ１、ＲＡ１）のクライアントであるユーザに属する。したがって、そのホームネットワークに一時的に取り付けられている。一方、移動端末Ｔｎ２は、第２のネットワーク（ＲＣ２、ＲＡ２）のクライアントであるユーザに属する。したがって、一時的にいわゆる「ローミング」状況にある。というのは、その（第２の）ホームネットワーク（ＲＣ２、ＲＡ２）とは異なる（第１の）訪問サイト（ＲＣ１、ＲＡ１）に取り付けられているからである。
【００３９】
無線通信ネットワークコントローラＢＳＣｊは、移動端末ＴｎｉとコアネットワークＲＣｉの間にサービスをセットアップするために、ネットワークのリソースまたは論理チャンネル（無線通信リンクチャンネルまたはチャネリングコードなど）の割当を管理する必要がある。サービスは例えば、移動ネットワークと移動端末Ｔｎｉの間のデータの伝達、または音声通信（通話）、または短い２点間ＳＭＳまたはＳＭＳ−ＣＢタイプメッセージの伝達のために使用することができる接続である。
【００４０】
各コアネットワークＲＣｉは、無線通信ネットワークコントローラＢＳＣｊに接続されたネットワーク機器、および例えば、インターネットネットワークなどの他の外部通信ネットワーク（パブリックおよび／またはプライベート）を備えている。特に、これにより移動ネットワークのクライアントが、第１に独自の移動端末を使用して端末または外部サーバにアクセスすることが可能になり、第２に訪問した移動ネットワークの無線通信アクセスネットワークを通してそのホーム移動ネットワークにアクセスすることが可能になる。
【００４１】
外部ネットワークへの接続は、普通はＳＧＳＮタイプ（サービングＧＰＲＳサポートノード）タイプノードＳｉの制御において、ＧＧＳＮ（ゲートウェイＧＰＲＳサポートノード）タイプルータまたはノードによって行われる。
【００４２】
各コアネットワークＲＣｉはまた、回路（または、ＣＳ）タイプ通信（または、コール）切換を管理する必要がある、コールマネージメントセンタ（「移動サービス切換センタ」ＭＳＣ）Ｍｉを含んでいる。より詳細には、このＭＳＣセンタは、セルまたは「ハンドオーバ」を変更するための手続を処理する。ＭＳＣセンタは、サブスクライバ（または、クライアント）に関する情報を検索し、前記サブスクライバの知られているアドレスおよび位置を記憶するように、ホームサブスクライバサーバ（ＨＳＳ）ＨＳｉの一部を普通は形成する、ＨＬＲ（ホーム位置レジスタ）ＨＬｉと呼ばれるサブスクリプションデータベースに接続される。さらに、ＭＳＣセンタは、その無線通信アクセスネットワークＲＡｉに接続された各端末Ｔｎｉに関するデータを記憶する、ＶＬＲ（ビジタ位置レジスタ）と呼ばれるメモリ（または、データベース）を備えている。
【００４３】
各選択したセルＣｊｋを少なくとも部分的に含んだ少なくとも１つの所与の地理的区域Ｚ内の予測自然または他の差し迫った大災害の場合、少なくとも１つの選択したセルＣｊｋ内に配置された移動端末Ｔｎｉへの緊急警告メッセージの伝達を可能にするために、本発明は、（この場合は第２の）移動ネットワークの少なくとも１つに少なくとも１つの警告センタＣＡを接続し、各無線通信ネットワークコントローラＢＳＣｊ内に処理モジュールＭＴを備えていることを提案する。
【００４４】
警告センタＣＡは、（例えば、地震、津波、竜巻、火山噴火、爆発または汚染の危険性など）差し迫った大惨事の予測に関連する警告が検出されたときに、警告テキストメッセージを含む選択した優先レベルを有する選択した警告分類に関連し、第１のＳＭＳ−ＣＢタイプ（３ＧＰＰ仕様２３−０４１によって規定されたショートメッセージシステム、セル放送サービス）ショートメッセージを生成し、１つまたはいくつかの選択したセルＣｊｋを少なくとも部分的に含む少なくとも１つの所与の地理的区域Ｚ内に配置された移動端末Ｔｎｉに送信することが必要である処理モジュールＭＴ’を備えている。単一の図に示す非限定的な例では、地理的区域Ｚは、第１の移動ネットワークの無線通信アクセスネットワークＲＡ１の第１の無線通信ネットワークコントローラＢＳＣ１に取り付けられた２つのセルＣ１１およびＣ１２、および前記無線通信アクセスネットワークＲＡ１の第２の無線通信ネットワークコントローラＢＳＣ２に取り付けられたセルＣ２１を含んでいる。
【００４５】
この明細書の目的で、「警告テキストメッセージ」は、１つまたはいくつかのフレーズおよび／または専用アイコンのことを言う。多言語および／または観光旅行国の場合、各フレーズは例えば他の国からのローミング利用者を考慮して異なる言語である可能性があり、例えば、フレーズの１つは常に英語であってもよい。
【００４６】
したがって、本発明は各ＳＭＳ−ＣＢタイプショートメッセージ分類に優先レベルを関連させ、それによって、１つの分類、例えば警告は１つまたはいくつかの他の分類（警告またはその他）への優先度を有する。
【００４７】
警告センタＣＡは、一時的に取り付けられた移動端末Ｔｎｉに放送しなければならない、セルＣｊｋの少なくとも１つを制御する各無線通信ネットワークコントローラ（この場合、ＢＳＣ１およびＢＳＣ２）に対して生成した各第１のＳＭＳ−ＣＢタイプショートメッセージを伝達する。
【００４８】
無線通信ネットワークコントローラ（ＢＳＣ１またはＢＳＣ２）が（ＳＭＳ−ＣＢタイプの）第１のショートメッセージを受信すると、このＳＭＳ−ＣＢメッセージ分類が警告分類である場合に、その処理モジュールＭＴに伝達する。
【００４９】
その後、無線通信ネットワークコントローラ（例えば、ＢＳＣ１）の処理モジュールＭＴは、制御する各選択したセルＣｊｋ内に配置された移動端末Ｔｎｉへの、受信した第１のＳＭＳ−ＣＢメッセージの選択した警告分類の優先レベルより低い優先レベルを有する警告分類に関連する各ＳＭＳ−ＣＢタイプショートメッセージの伝達をすぐに遮る。これにより、第１の警告メッセージ（ＳＭＳ−ＣＢ）の放送のためにリソースが解放される。
【００５０】
したがって、ネットワークオペレータは、各選択したセルＣｊｋ内に配置された移動端末Ｔｎｉへの、選択した警告分類の優先度より低い優先レベルを有する分類に関連した各ＳＭＳ−ＣＢタイプメッセージの伝達を遮るように、無線通信ネットワークコントローラ（例えば、ＢＳＣ１）の処理モジュールＭＴを構成することができる。また、選択した優先レベルを有する警告分類内で優先サブレベルを規定することも可能である。この場合、ネットワークオペレータは、各選択したセルＣｊｋ内に配置された移動端末Ｔｎｉへの選択した警告分類より低い優先レベル分類に関連するあらゆるＳＭＳ−ＣＢタイプメッセージの伝達を遮り、この選択した警告分類内で、各選択したセルＣｊｋ内に配置された移動端末Ｔｎｉへの選択したサブレベルより低い優先サブレベルに関連したあらゆるＳＭＳ−ＣＢタイプメッセージの伝達を遮るように、無線通信ネットワークコントローラ（例えば、ＢＳＣ１）の処理モジュールＭＴを構成することができる。
【００５１】
無線通信ネットワークコントローラＢＳＣ１の処理モジュールＭＴはその後、制御する（また、地理的区域Ｚの一部を形成する）選択したセルＣ１１およびＣ１２内に配置された全ての移動端末Ｔｎｉ（この場合、Ｔ１１、Ｔ２１およびＴ１２）へ第１のメッセージを放送する。無線通信ネットワークコントローラＢＳＣ２の処理モジュールＭＴはまた、制御する（また、地理的区域Ｚの一部を形成する）選択したセルＣ２１内に配置された全ての移動端末Ｔｎｉ（この場合、Ｔ３１およびＴ２２）に第１のメッセージを放送することに留意されたい。
【００５２】
アイドルモードの最も多くの移動端末Ｔｎｉは、第１のＳＭＳ−ＣＢタイプメッセージを受信することが可能であることに留意することが重要である。
【００５３】
移動端末Ｔｎｉが第１のメッセージを受信する場合、その内容を分析する。前記内容は、警告の伝達、および移動端末ＴｎｉのＳＣ画面上の警告テキストメッセージの表示が必要であるので、移動端末がこれを実行する。
【００５４】
移動端末Ｔｎｉ、例えば移動電話は普通、ＳＩＭ（加入者識別モジュール）タイプ識別カードＣＳに結合された制御モジュールＭＣを備えていることに留意されたい。このＣＳ  ＳＩＭカードが３ＧＰＰ仕様３１．１１１または１１．１４によって規定されたＳＡＴ（「ＳＩＭアプリケーションツールキット」）などの基準を満たした場合、特定のコマンドにより制御モジュールＭＣを少なくとも部分的に制御することが可能である。
【００５５】
したがって、ＳＡＴタイプ基準を満たすＣＳ  ＳＩＭタイプカードを備えた移動端末Ｔｎｉが第１のメッセージを受信した場合、そのＣＳ  ＳＩＭタイプカードに送信し、その後、警告を送信し、その移動端末Ｔｎｉの画面ＳＣ上に警告テキストメッセージを表示するように命令する、例えば「ＤＩＳＰＬＡＹ  ＴＥＸＴ」および「ＰＬＡＹ  ＴＯＮＥ」などの、特定のコマンドを伝達することによってその制御モジュールＭＣへの制御を行う。
【００５６】
ＤＩＳＰＬＡＹ  ＴＥＸＴコマンドを使用することにより、ＣＣ  ＳＩＭタイプカードが警告テキストメッセージに対して表示優先レベルおよび特定の表示フォーマットを規定することが可能になる。例えば、高レベルの優先度に関連した警告テキストメッセージが、現在表示されているあらゆる他のテキストを置換するように画面ＳＣ上に、または現在表示されているテキスト上に重ねられたウィンドウまたは１つまたはいくつかのウィンドウ内に表示される。
【００５７】
警告信号および警告テキストメッセージ表示モードを送信するのに使用する手段は、移動端末Ｔｎｉの状況に左右される。２つの場合は、移動端末Ｔｎｉが音声通信のセットアップを開始したかどうかによって予想することができる。
【００５８】
移動端末Ｔｎｉが現在音声通信をセットアップしている場合、その後、ＣＳ  ＳＩＭタイプカードは、制御モジュールＭＣに、ダウン音声リンクがあればその上に音声警告信号を重畳するように命令する。端末ユーザはその後、移動端末Ｔｎｉの音声放送手段、例えばスピーカまたは「ハンドオフ」キットのスピーカ、または移動端末Ｔｎｉに結合されたイヤフォンによって警告される。警告テキストメッセージは、例えば、呼び出している番号および／または呼び出された番号の上にまたはその代わりに、画面ＳＣ上に表示することができる。
【００５９】
移動端末Ｔｎｉが現在音声通信をセットアップしていない場合、その後、制御モジュールＭＣは第１に、移動端末Ｔｎｉの音声放送手段、例えばスピーカまたは「ハンズフリー」キットのスピーカ、または移動端末Ｔｎｉに結合されたイヤフォンで音声警告信号を送信し、第２にほぼ同時に、画面ＳＣ上に警告テキストメッセージを表示する。
【００６０】
移動端末Ｔｎｉが第１のメッセージを受信したが、ＳＡＴタイプ基準を満たすＣＳ  ＳＩＭタイプカードを備えていない場合、その制御モジュールＭＣに伝達し、それによって処理することができる。
【００６１】
同じ（ＳＭＳ−ＣＢタイプの）第１のメッセージは、関連する（１つまたは複数の）無線通信ネットワークコントローラＢＳＣｊによって、選択した回数（例えば、５または６回）移動端末Ｔｎｉに伝達することができることに留意することが重要である。これらの連続伝達は例えば、毎分または３０秒毎に行うことができる。
【００６２】
さらに、一変更形態では、各無線通信ネットワークコントローラＢＳＣｊの処理モジュールＭＴを、移動端末Ｔｎｉに第１のＳＭＳ−ＣＢメッセージを送信する第１の試みの間、通信に関連し、そのコントロールＢＳＣｊによって制御された各選択したセルＣｊｋ内に配置された移動端末によって使用される全ての無線通信リソースを解放するように設計することが可能になるだろう。
【００６３】
この解放機構により、移動端末は（ＳＭＳ−ＣＢタイプの）第１のメッセージを受信することが可能である、アイドルモードに変えられる。
【００６４】
第１のメッセージの各第１の伝達の試みの間に、無線通信リソースのこのような強制解放を実行することだけが好ましい。この機構が体系的に利用される場合、（１つまたは複数の）警告区域内に配置された救助および／または緊急チームのメンバ間の通信を遮ることができる。
【００６５】
上に記載したステップは、アイドルモードで基本的に移動端末Ｔｎｉにのみ第１の警告メッセージ（タイプＳＭＳ−ＣＢ）を伝達することが可能である。アイドルモードにない端末（すなわち、ネットワークへの通信をセットアップした端末（専用モード））では、第１のＳＭＳ−ＣＢメッセージを伝達する第１の試みが失敗した。本発明は、それにも関わらずこれらを警告するように、相補的なステップを適用することを提案している。
【００６６】
これを達成するために、処理モジュールＭＴは、第１のメッセージを受信しなかった各移動端末Ｔｎｉに対して第１のサブスクライバ無線通信識別子を判断する必要がある。第１の識別子は、無線通信ネットワークコントローラ（例えば、ＢＳＣ１）に知られている。コアネットワーク内のノードからこれらを受信した。例えば、ＩＭＳＩ（「国際移動電話加入者識別番号」）と呼ばれる移動サブスクライバの国際識別子である。
【００６７】
無線通信ネットワークコントローラ（例えば、ＢＳＣ１）の処理モジュールＭＴは第２の状況に関連した移動端末Ｔｎｉの第１の識別子を有する場合、少なくとも２つの実施形態が、画面ＳＣ上に表示される警告テキストメッセージを含む第２の２点間ＳＭＳタイプメッセージを伝達するために考えることができる。
【００６８】
第１の実施形態では、各処理モジュールＭＴは、警告センタＣＡに対して判断した第１の識別子を伝達するように設計される。警告センタはその後、その取付ネットワーク用のクライアント情報データベース（例えば、ＨＳＳタイプ）ＨＳｉで受信した第１の識別子によって指定された各移動端末Ｔｎｉ用の第２の通信識別子を判断する必要がある。例えば、各第２の通信識別子は、当業者がＭＳＩＳＤＮ（「移動局ＩＳＤＮ−移動サブスクライバのＩＳＤＮタイプ番号、例えば０６  ８１  ８８  ７６  ５８など」）と呼ぶものである。
【００６９】
移動端末Ｔｎｉへ第２のメッセージを送信するのを最適化するために、単一の動作で、２点間ＳＭＳを通して到達することができるように、ルーティング情報で前記移動端末Ｔｎｉの第２の通信識別子を判断するために、新しいＭＡＰ（移動アプリケーションパート）タイプ動作を規定することが可能である。ＭＡＰタイプインターフェイスは、ＨＳＳ  ＨＳｉサーバ内に含まれるＨＬＲ  ＨＬｉメモリからサービスを得るために使用することができることに留意されたい。
【００７０】
警告センタＣＡの処理モジュールＭＴ’が移動端末Ｔｎｉの第２の通信識別子（例えば、ＭＳＩＳＤＮ）を所有すると、それぞれに対して第２のメッセージを生成し、伝達する。第２の状況で使用される第２のメッセージは、各受信移動端末の画面ＳＣ上に表示される警告テキストメッセージを基本的に備えた短い２点間ＳＭＳタイプメッセージである。
【００７１】
第２の実施形態では、各無線通信ネットワークコントローラＢＳＣｊの処理モジュールＭＴは、受信した第１のメッセージに含まれた警告テキストメッセージを示すデータから第２のメッセージを生成させるように設計されている。第１の場合と同様に、第２のメッセージは、各目的移動端末Ｔｎｉの画面ＳＣ上に表示されるように設計された警告テキストメッセージを基本的に備えた短い２点間ＳＭＳタイプメッセージである。第２のメッセージが生成されると、処理モジュールＭＴはこれを各移動端末Ｔｎｉに伝達し、これにより、警告センタＣＡと同様の方法で第２の通信識別子を判断する。
【００７２】
第１の実施形態、および第２の実施形態では、移動端末Ｔｎｉは第２のメッセージを受信した場合、あらゆる他の２点間ＳＭＳタイプショートメッセージと同様に処理する。したがって、その到達はおそらく進行中に音声通信のダウン音声リンクの上に重畳された音声信号によってユーザに通知することができる。これを行うため、移動端末Ｔｎｉは音声放送手段、例えば、そのスピーカまたは「ハンズフリー」のスピーカまたはイヤフォンを使用する。
【００７３】
ユーザはその後、画面ＳＣ上に警告テキストメッセージを表示するために、自分の移動端末Ｔｎｉのメニューを使用すべきである。
【００７４】
本発明による無線通信ネットワークコントローラＢＳＣｊの処理モジュールＭＴは、電子回路、ソフトウェアモジュール（または、コンピュータモジュール）、または回路およびソフトウェアの組合せの形で生成することができる。
【００７５】
本発明は、従来技術による解決法と比べて多くの利点を有し、特に、
第１の状況でのＳＭＳ−ＣＢタイプショートメッセージの使用により、移動端末に極めて迅速に到達することができ、ほとんどリソースが必要なく、したがって基本的なおよび／または優先通信に対してリソースが利用可能なままである。
【００７６】
その移動端末がＳＭＳ−ＣＢタイプショートメッセージを受信するユーザは次に、音声警告信号によってこのようなメッセージの到達に関して警告される。
【００７７】
ＳＩＭタイプカードがＳＡＴタイプ基準を満たす場合は、移動端末の適応または変更を行う必要がない。
【００７８】
ネットワーク信号伝達能力を飽和状態にしないように、したがって短時間でルーティングを可能にするために、限られた数の移動端末に第２の状況で２点間ＳＭＳタイプショートメッセージを送信する。
【００７９】
２点間ＳＭＳタイプショートメッセージは、音声通信またはＧＰＲＳデータ転送を既にセットアップした場合でも移動端末に伝達することができるので、そのアドレスは見失うことがない。
【００８０】
本発明は、単に例として上に記載した無線通信ネットワークコントローラＢＳＣｊおよび警告メッセージ伝達方法の実施形態に限定するものではなく、当業者が特許請求の範囲の枠組み内にあると考えることができる全ての変更形態を含んでいる。
【図面の簡単な説明】
【００８１】
【図１】本発明による互いに結合された２つの移動（通信）ネットワークを示す。
【図１】
2009505465.tif 000003
【国際調査報告】
2009505465.tif 000004
2009505465.tif 000005
2009505465.tif 000006
2009505465.tif 000007
2009505465.tif 000008
2009505465.tif 000009